(57)【特許請求の範囲】
【請求項１】
複数の操作キー(12)を具えた本体(１)の上端部に、ヒンジ機構(30)を介して、ディスプレイ(21)を具えた蓋体(２)の下端部が枢支され、本体(１)に対して蓋体(２)を開閉操作することが可能な折り畳み式携帯電話機において、前記ヒンジ機構(30)を構成する駒部の内部には、一端が開口して芳香部材(４)を挿脱することが可能な装入室が形成され、該装入室の開口部は、着脱操作可能な栓部材(６)によって塞がれており、前記駒部には、蓋体(２)を開くことによって露出する位置に、前記装入室に通じる１或いは複数の小孔が開設されていることを特徴とする折り畳み式携帯電話機。
【請求項２】
前記装入室は、ヒンジ機構(30)の枢軸を中心軸とする円筒状に形成されて、ヒンジ機構(30)の一方の端部に開口し、該開口部に栓部材(６)がねじ込まれている請求項１に記載の折り畳み式携帯電話機。
【発明の詳細な説明】
【０００１】
【発明の属する技術分野】
本発明は、複数の操作キーを具えた本体にディスプレイを具えた蓋体を開閉可能に連結した折り畳み式携帯電話機に関するものである。
【０００２】
【従来の技術】
従来、芳香拡散源を有する携帯電話機が提案されており(登録実用新案第3061389号、実開平5-76153号等)。この種の携帯電話機によれば、快い香りを楽しみながら通話を行なうことが出来る。
【０００３】
【発明が解決しようとする課題】
ところで、上述の如き携帯電話機において、長時間に亘って芳香拡散機能を持続させるためには、芳香拡散源としては、出来るだけ体積の大きなものを具備する必要がある。
しかしながら、近年、携帯電話機は小型化の一途をたどっているため、体積の大きな芳香拡散源の設置スペースを十分に確保することが困難な問題がある。
又、芳香拡散源を常時、外部に露出させた状態で携帯電話機に取り付けた場合、該芳香拡散源の芳香拡散機能は短期間に消費されて、頻繁に芳香拡散源を交換せねばならない問題がある。
【０００４】
そこで本発明の目的は、芳香拡散源の設置スペースを十分に確保することが出来ると共に、芳香拡散源の芳香拡散機能を長期間に亘って持続させることが可能な携帯電話機を提供することである。
【０００５】
【課題を解決する為の手段】
本発明に係る携帯電話機は、複数の操作キー(12)を具えた本体(１)の上端部に、ヒンジ機構(30)を介して、ディスプレイ(21)を具えた蓋体(２)の下端部が枢支され、本体(１)に対して蓋体(２)を開閉操作することが可能な折り畳み式携帯電話機であって、前記ヒンジ機構(30)を構成する駒部の内部には、一端が開口して芳香部材(４)を挿脱することが可能な装入室が形成され、該装入室の開口部は、着脱操作可能な栓部材(６)によって塞がれており、前記駒部には、蓋体(２)を開くことによって露出する位置に、前記装入室に通じる１或いは複数の小孔が開設されていることを特徴とする。
【０００６】
上記本発明の折り畳み式携帯電話機においては、蓋体(２)を開くことによって、ヒンジ機構(30)を構成する駒部に開設されている小孔が露出して、該駒部の内部に形成されている装入室が外部に開放される。この結果、装入室に装填されている芳香部材(４)の芳香が、携帯電話機の使用者に向かって拡散されることになる。又、蓋体(２)を閉じることによって、小孔が本体(１)若しくは蓋体(２)の端部に塞がれて、装入室は略密閉された空間となる。この結果、装入室に装填されている芳香部材の芳香拡散機能が抑制される。
【０００７】
芳香部材の芳香拡散機能が寿命に至ったときは、栓部材(６)を取り外し、芳香部材(４)を新しいものと交換し、或いは芳香剤を充填することによって、芳香拡散機能を回復させることが出来る。
【０００８】
具体的構成において、前記装入室は、ヒンジ機構(30)の枢軸を中心軸とする円筒状に形成されて、ヒンジ機構(30)の一方の端部に開口し、該開口部に栓部材(６)がねじ込まれている。
該具体的構成によれば、駒部に容積の大きな装入室を形成することが可能であり、これによって、体積の大きな芳香部材(４)を収納することが出来る。又、芳香部材(４)を交換する際には、栓部材(６)を回転させることによって、容易に栓部材(６)の取外し及び取付けを行なうことが出来る。
【０００９】
【発明の効果】
本発明に係る折り畳み式携帯電話機においては、ヒンジ機能を構成する駒部が元々筒状であって、内部に空間を有しているので、該空間を芳香部材(４)の装入室として利用することが出来る。従って、芳香部材(４)の装入室として新たなスペースを確保する必要はなく、体積の大きな芳香部材(４)の設置と、携帯電話機の小型化とを同時に実現することが可能である。又、蓋体(２)を開いたときにのみ、即ち通話時にのみ、芳香部材(４)に十分な芳香拡散機能を発揮させるので、芳香部材(４)は長い寿命で芳香を拡散することとなる。
【００１０】
【発明の実施の形態】
以下、本発明の実施の形態につき、図面に沿って具体的に説明する。
本発明に係る折り畳み式携帯電話機は、図１及び図２に示す如く、複数の操作キー(12)を具えた本体(１)の上端部に、ヒンジ機構(30)を介して、ディスプレイ(21)を具えた蓋体(２)の下端部が枢支され、本体(１)に対して蓋体(２)を開閉操作することが可能である。又、蓋体(２)にはアンテナ(５)が突設されている。
【００１１】
ヒンジ機構(30)は、図３に示す如く、本体(１)の上端部に突設された第１駒部(13)、第２駒部(14)及び第３駒部(15)と、蓋体(２)の下端部に突設された第１駒部(22)及び第２駒部(23)とを、同軸上にて相対回転可能に組み合わせて構成され、ヒンジ機構(30)の左側の端部にはヒンジ部材(３)が嵌入して、本体(１)の第３駒部(15)と蓋体(２)の第２駒部(23)とを互いに相対回転可能に連結している。
【００１２】
本体(１)の第１駒部(13)及び第２駒部(14)、並びに蓋体(２)の第１駒部(22)には、同軸上にて連通する円筒状の空間が開設され、本体(１)の第１駒部(13)にはねじ孔(16)が形成され、蓋体(２)の第１駒部(22)と本体(１)の第２駒部(14)には、丸軸状の芳香部材(４)を装填することが可能な装入室(24)(17)が形成されている。本体(１)の第１駒部(13)のねじ孔(16)には、栓部材(６)がねじ込み固定される。
又、本体(１)の第２駒部(14)及び蓋体(２)の第１駒部(22)の周壁には、装入室(17)(24)に至る複数の小孔(18)(26)が開設されている。
【００１３】
芳香部材(４)は、例えば多孔質材に香水やアロマオイル等の芳香剤を浸透させたものであって、芳香剤を補充することによって、長期間に亘って芳香拡散機能を発揮する。
【００１４】
図１に示す如く、蓋体(２)を閉じた状態では、前記ヒンジ機構(30)を構成する駒部(14)(22)の小孔(18)(26)は、本体(１)や蓋体(２)のケースによって塞がれており、芳香部材(４)の芳香拡散機能は抑えられている。
図２に示す如く蓋体(２)を開いた状態では、駒部(14)(22)の小孔(18)(26)が前面側に露出して、駒部(14)(22)の装入室に装填されている芳香部材(４)の芳香を、小孔(18)(26)を通じて前方へ拡散させる。これによって、通話中の使用者は、快い香りを楽しみながら、通話を行なうことが出来る。
【００１５】
使用によって、芳香部材(４)の芳香拡散機能が低下した場合には、図４に示す如く栓部材(６)を取り外して、新しい芳香部材(４)に交換し、或いは芳香部材(４)に芳香剤を補充して、該芳香部材(４)をねじ孔(16)から前記装入室へ挿入した後、ねじ孔(16)に栓部材(６)をねじ込めばよい。
【００１６】
上記本発明の折り畳み式携帯電話機によれば、ヒンジ機構(30)を構成する駒部(14)(22)に元々形成されている空間を利用して、芳香部材(４)の装入室(17)(24)を形成することが出来るので、芳香部材(４)のために新たなスペースを確保する必要はない。又、芳香部材(４)の装入室(17)(24)は、駒部(14)(22)の内部に円筒状に形成されているので、丸軸状の体積の大きな芳香部材(４)を設置することが可能であり、これによって、芳香機能を長期間に亘って持続させることが出来る。
【００１７】
更に又、蓋体(２)を開いたときにのみ、即ち通話時にのみ、芳香部材(４)に十分な芳香拡散機能を発揮させ、蓋体(２)を閉じたとき、即ち非通話時には、小孔(18)(26)を塞いで芳香部材(４)の芳香拡散機能を抑制するので、芳香部材(４)に長い寿命を達成することが出来る。
【図面の簡単な説明】
【図１】本発明に係る折り畳み式携帯電話機の閉じた状態を示す斜視図である。
【図２】該折り畳み式携帯電話機の開いた状態を示す斜視図である。
【図３】該折り畳み式携帯電話機の分解斜視図である。
【図４】芳香部材の交換方法を説明する斜視図である。
【符号の説明】
(１)  本体
(12)  操作キー
(13)  第１駒部
(14)  第２駒部
(15)  第３駒部
(16)  ねじ孔
(17)  装入室
(18)  小孔
(２)  蓋体
(21)  ディスプレイ
(22)  第１駒部
(23)  第２駒部
(24)  装入室
(26)  小孔
(30)  ヒンジ機構
(４)  芳香部材
(６)  栓部材
【図１】
0003643779.tif 000002
【図２】
0003643779.tif 000003
【図３】
0003643779.tif 000004
【図４】
0003643779.tif 000005